【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
部屋、建物または他の環境のための芳香システムであって、前記システムが、（ａ）上面を有するスタンドまたは他の形態のベースと、（ｂ）１つ以上の携帯芳香物体とを含み、各携帯芳香物体が、芳香を提供し、ユーザが前記スタンドまたはベースの任意の部分を分解する必要なく前記スタンドまたはベースの前記上面に置かれるように構成され、前記スタンドまたはベースが、前記芳香物体のうちの１つ以上から芳香を放出するように配置される１つ以上のファンまたは他の空気移動システムを含む、芳香システム。
【請求項２】
前記携帯芳香物体が、単一の芳香注入ポリママトリックスのみを含み、前記物体が、前記スタンドまたはベース内に配置される１つ以上のファンまたは他の空気移動システムから吹き付けられた空気が、前記単一の芳香注入ポリママトリックスの上を通過して、部屋、建物または他の環境に出ることができるように構成される、請求項１に記載の芳香システム。
【請求項３】
前記携帯芳香物体が、前記単一の芳香注入ポリママトリックスを包含するかまたは覆う壁を有し、前記マトリックスが、ファンからの流入空気にさらされる前記マトリックスの表面積を増やすために、前記流入空気を前記マトリックス内の流路、溝、アーチまたは他の特徴物に誘導するように形作られた、または曲線を付けて作られた表面を有する、請求項１または２に記載の芳香システム。
【請求項４】
前記携帯芳香物体が、前記スタンドまたはベースの前記上面に置かれるように形作られた下面を有する滑らかな丸みのある小石状または平坦な卵形のような形状であり、（ａ）芳香が注入された基板またはマトリックスを包含するかまたは覆う壁および／またはベースと、（ｂ）前記基板またはマトリックスの外面と前記壁および／またはベースの内面との間に１つ以上の空気通路とを有する、請求項１乃至３のいずれか１項に記載の芳香システム。
【請求項５】
前記携帯芳香物体が、芳香が注入された基板またはマトリックスと、前記芳香物体を認証し、したがって、前記芳香物体を使用してファンの動作を可能にするために、１つ以上のファンを含むベース、スタンドまたは他の種類のドックとデータを交換するＩＤチップまたはデバイス（ワイヤレスチップ、例えば、ＲＦＩＤチップなど）とを含む、請求項１乃至４のいずれか１項に記載の芳香システム。
【請求項６】
前記携帯芳香物体が、芳香が注入された基板またはマトリックスと、前記携帯芳香物体が十分に近いときにドック内の光または照明をトリガするために、１つ以上のファンを含むベース、スタンドまたは他の種類の前記ドックとデータを交換するＩＤチップまたはデバイス（ワイヤレスチップ、例えば、ＲＦＩＤチップなど）とを含む、請求項１乃至５のいずれか１項に記載の芳香システム。
【請求項７】
前記携帯芳香物体が、芳香が注入された基板またはマトリックスと、ドックから上昇するようにノズルまたは開口部をトリガするために、１つ以上のファンを含むベース、スタンドまたは他の種類の前記ドックとデータを交換するＩＤチップまたはデバイス（ワイヤレスチップ、例えば、ＲＦＩＤチップなど）とを含み、前記物体が、前記ノズルまたは開口部と係合するように構成される、請求項１乃至６のいずれか１項に記載の芳香システム。
【請求項８】
前記携帯芳香物体が、前記物体からの芳香の実質的な漏出を防ぐための十分な密着性により、前記物体が前記スタンドまたはベースに接触することを確実にするために十分な重さを有する、請求項１乃至７のいずれか１項に記載の芳香システム。
【請求項９】
前記携帯芳香物体が、４ｃｍ〜１０ｃｍの間の長さの最長寸法を有する略滑らかな表面の小石サイズの物体である、請求項１乃至８のいずれか１項に記載の芳香システム。
【請求項１０】
前記携帯芳香物体が、３０ｍｍ〜１００ｍｍの間の高さであり、２０ｍｍ〜８０ｍｍの間の幅である、請求項１乃至９のいずれか１項に記載の芳香システム。
【請求項１１】
前記携帯芳香物体が、芳香を含浸させたＥＶＡ（エチレンビニルアセテート）などのポリママトリックスを囲む透明または半透明の殻を有する、請求項１乃至１０のいずれか１項に記載の芳香システム。
【請求項１２】
前記携帯芳香物体が、１０ｍＬ〜５０ｍＬの間の実体積のポリママトリックスを有する、請求項１乃至１１のいずれか１項に記載の芳香システム。
【請求項１３】
前記ポリママトリックスが、２０ｍｍ×１０ｍｍ×５ｍｍと８０ｍｍ×６０ｍｍ×４０ｍｍとの間であり、約２０ｍＬまたは２０ｃｍ３の実体積を有する、請求項１乃至１２のいずれか１項に記載の芳香システム。
【請求項１４】
新品時の前記ポリママトリックスの表面積が、２０００ｍｍ２〜２００００ｍｍ２の範囲内にある、請求項１乃至１３のいずれか１項に記載の芳香システム。
【請求項１５】
前記芳香物体用の前記ファンまたは空気移動システムを作動させるために、ユーザが、前記芳香物体を手に取って前記スタンドに戻す、請求項１乃至１４のいずれか１項に記載の芳香システム。
【請求項１６】
ユーザが、前記スタンドから前記芳香物体を手に取ると、特定の前記芳香物体用の前記スタンド内の空気ノズルが持ち上げられる、または持ち上げられたままとなって、前記ユーザが前記持ち上げられたノズルの上に前記芳香物体を置くように前記芳香物体を前記スタンドに戻すとそれが作動することを示す、請求項１乃至１５のいずれか１項に記載の芳香システム。
【請求項１７】
空気が前記芳香物体の上または中を通過し、前記芳香物体から芳香を吸い上げて周囲に放出することができるように、芳香が前記芳香物体から放出されるとき、前記携帯芳香物体が前記スタンドまたはベースから機械的に持ち上げられる、請求項１乃至１６のいずれか１項に記載の芳香システム。
【請求項１８】
前記スタンドまたはベース内の空気ノズルが、空気が前記携帯芳香物体を通して吹き付けられると、前記ノズルを持ち上げて前記携帯芳香物体と係合させる支持物または部材に固定され、前記空気ノズルまたは他のカムはまた、前記携帯芳香物体または前記携帯芳香物体の一部を持ち上げて、芳香性空気を前記携帯芳香物体から逃がすことを可能にする、請求項１乃至１７のいずれか１項に記載の芳香システム。
【請求項１９】
前記スタンドまたはベース内の空気ノズルが、前記携帯芳香物体と係合していないとき、前記スタンドまたはベースの前記上面と同一平面に配置される、請求項１乃至１８のいずれか１項に記載の芳香システム。
【請求項２０】
前記スタンドまたはベース内の空気ノズルまたは開口部の周りの領域が、携帯芳香物体が前記ノズルまたは開口部に十分に近づくと自動的に点灯する、請求項１乃至１９のいずれか１項に記載の芳香システム。
【請求項２１】
前記スタンドまたはベースが、各芳香物体の下に光源を含み、特定の芳香物体用の前記ファンまたは空気移動システムが作動すると、前記光源が作動し、透明または半透明の殻を照らす、請求項１乃至２０のいずれか１項に記載の芳香システム。
【請求項２２】
ユーザのスマートフォンで実行されているアプリが、特定の芳香物体からの芳香の放出をプログラムするために使用される、請求項１乃至２１のいずれか１項に記載の芳香システム。
【請求項２３】
前記スタンドが、特定のＩＤチップに関連付けられた使用範囲（例えば、時間）の記録を作成または記憶し、芳香物体の予想される前記使用範囲または寿命を大幅に超えたＩＤチップを有する芳香物体では動作しない、請求項１乃至２２のいずれか１項に記載の芳香システム。
【請求項２４】
ユーザが芳香システムスタンドまたはベースの任意の部分を分解する必要なく前記スタンドまたはベースの上面に置かれるように形作られた又は構成された携帯芳香物体であって、前記携帯芳香物体が、単一の芳香注入ポリママトリックスを含み、前記物体が、前記スタンドまたはベース内に配置される１つ以上のファンまたは他の空気移動システムから吹き付けられた空気が、前記芳香注入ポリママトリックスの上を通過して、部屋、建物または他の環境に出ることができるように構成される、携帯芳香物体。